(57)【要約】【課題】前面パネルのカバーの開閉や取外しを容易かつ安全で確実に行う。【解決手段】空気調和機本体の前面を覆う前面パネル２と、この前面パネルの前方にカバー４を開閉自在に装着してなる空気調和機に於いて、前記カバー４の上部両端に回転軸１２を設け、前記前面パネルの側面または上面に前記回動軸に対応した凹部１５を設け、前記カバーに回転軸を中心とした円弧状で断面略コの字形のアーム部１６を突設し、前記前面パネルにアーム部が貫通する穴部１７を備えると共に、前記アーム部内側面の上部又は下部の一方に凹凸部１９を形成し、この凹凸部が係止する突起１８を前記穴部に設け、前記カバー開閉時に凹凸部１９が突起１８に係止してカバー４を任意の角度にて開放固定するものである。【選択図】  図２
2009180486.tif 000002
【特許請求の範囲】
【請求項１】
空気調和機本体の前面を覆う前面パネルと、この前面パネルの前方にカバーを開閉自在に装着してなる空気調和機に於いて、前記カバーの上部両端に回転軸を設け、前記前面パネルの側面または上面に前記回動軸に対応した凹部を設け、前記カバーに回転軸を中心とした円弧状で断面略コの字形のアーム部を突設し、前記前面パネルにアーム部が貫通する穴部を備えると共に、前記アーム部内側面の上部又は下部の一方に凹凸部を形成し、この凹凸部が係止する突起を前記穴部に設け、前記カバー開閉時に凹凸部が突起に係止してカバーを任意の角度にて開放固定することを特徴とする空気調和機。
【発明の詳細な説明】
【技術分野】
【０００１】
この発明はセパレート型空気調和機の室内ユニットの前面パネルのカバーの開閉装置に関する。
【背景技術】
【０００２】
従来のこの種のセパレート型空気調和機の室内ユニットの前面パネルのカバーの開閉装置は、前面パネルに設けた凹部に回転軸穴を設け、前記前面パネルの回転軸穴にカバーの回転軸を装着し、この回転軸を支点に前記カバーを回動して開閉する構成であった。
また前記回転軸と凹部を設けずに前面パネルの一部に仮想の回転軸を設け、カバーに備えた円弧状リブを前面パネルに備えた突起に係合することで前面パネルにカバーを開閉自在に取り付けるものもあった。（例えば特許文献１参照）
【特許文献１】特許３３７９３０３号公報
【発明の開示】
【発明が解決しようとする課題】
【０００３】
ところでこの従来のものは、前者のような構成ではカバーを開いた状態に一定角度を保ってしっかりと保持することは難しいものであり、また前面パネルからカバーを取り外す事は一般のユーザーには取り外すことは難しいものであった。
また後者の構成ではカバーの取付時に回転軸がないために何らかの原因でスムーズにアーム部を挿入できなかった場合アーム部が変形して前面パネルとカバーの間に隙間が生じたり正規の位置にカバーをセットできない問題が有った。そして変形が著しい場合にはカバーの開閉を繰り返すうちにアーム部が壊れて脱落する危険が有った。
【課題を解決するための手段】
【０００４】
この発明はこの点に着目し上記欠点を解決する為、特にその構成を、空気調和機本体の前面を覆う前面パネルと、この前面パネルの前方にカバーを開閉自在に装着してなる空気調和機に於いて、前記カバーの上部両端に回転軸を設け、前記前面パネルの側面または上面に前記回動軸に対応した凹部を設け、前記カバーに回転軸を中心とした円弧状で断面略コの字形のアーム部を突設し、前記前面パネルにアーム部が貫通する穴部を備えると共に、前記アーム部内側面の上部又は下部の一方に凹凸部を形成し、この凹凸部が係止する突起を前記穴部に設け、前記カバー開閉時に凹凸部が突起に係止してカバーを任意の角度にて開放固定するものである。
【発明の効果】
【０００５】
この発明によれば、前面パネルのカバーの開閉や取外しを容易かつ安全で確実に行うことができ、故障の心配のない空気調和機を提供することができるものである。
【発明を実施するための最良の形態】
【０００６】
次にこの発明の一実施形態を図面に基づいて説明する。
図１はセパレート型空気調和機の室内ユニット１側面の断面図で全体構成図を説明すれば、２は前記室内ユニット１の前方全体を覆う前面パネルで、室内ユニット１の後方を形成するベース３と共に、室内ユニット１の外枠を形成している。
４は前記前面パネル２の前面に被せられたカバーで、前記前面パネル２に着脱自在に取り付けられるものである、前面パネル２の上面には横長で格子状の吸込口５を、前面パネル２の下方には横長の上下風向板６にて開閉し空気を室内に向けて吹き出す吹出口７を備えている。
前記吸込口５と吹出口７とを結ぶ送風経路８にはフィンチューブ式の熱交換器９と送風ファン１０を備えている。
１１は前記吹出口７内に回動自在に軸支された左右風向板である。
【０００７】
図２と図３は前記前面パネル２とカバー４を取り外した状態の係合部分を表した断面の斜面図で、図４は前面パネル２にカバー４を組み付けた状態の前記係合部分の断面図で、図５はカバー４を開いた状態の断面図である。
１２は前記カバー２の上部の両端内側に一対設けられた回転軸で、カバー２の後方に向かって立設した三角形状のリブ１３の内側に円柱１４が形成されている。
１５は前面パネル２の側面または上面に形成した凹部で、前記回転軸１２が上方から着脱自在に係合し、カバー４が回転軸１２を中心としてスムーズに回動するように、円柱１４より稍大きな凹みで形成されている。
１６は前記回転軸１２を中心とした円弧状で断面略コの字形のアーム部で、カバー４の後方で前記円柱１４よりも下方外側に位置する。
１７前記アーム部１６が貫通する縦長の穴部で、この穴部１７内には横円柱状の突起１８が設けられ、前記アーム部１６内面に形成した凸凹部１９が突起１８に係合することで、前記カバー４を開閉時に任意の角度にて開放状態で固定して、空気清浄フィルタ２０等の掃除やその他のメンテナンスを行う事ができるものである。
２１はカバー４下端に備えた下係止部で、カバー４を閉じた状態を保持するために前面パネル２下部に係止するものである。
【０００８】
作用について説明すれば、カバー４に開くようにカバー４下部に力を掛けると、カバー４下部に備えた下係止部２０が解除し、カバー４が開き始め、アーム部１６も突起１８を摺動し凹凸部１９を乗り越えたところで図５の角度で停止し、空気清浄フィルタ１８等のメンテナンスを行う事ができるものである。そして更にカバー４を開けば、アーム部１６も突起１８を摺動し次の凹凸部１９を乗り越えたところの更に大きい角度で停止する。そして更にカバー４を開けばアーム部１６が穴部１７から外れ、そのままカバー４を上方に持ち上げれば、回転軸１２が凹部１５から外れることで、カバー４全体を前面パネル２から外すことができるもので。カバー４全体の掃除等を行ったり大がかりなメンテナンスを行う際に簡単に取り外すことができとても便利である。またカバー４を取り付ける際には取外しと逆の操作をすれば簡単に取り付ける事ができるものであり、回転軸１２とアーム部１６を共に備えることでカバー４の開閉もスムーズで且つアーム部６の変形等の故障の心配も少ないカバー４の開閉構造とすることができるものである。
【０００９】
以上のように、前面パネル２のカバー４の開閉や取外しを容易かつ安全で確実に行うことができ、故障の心配のない空気調和機を提供することができるものである。
【図面の簡単な説明】
【００１０】
【図１】この発明の一実施形態の横断面の概略構成図。
【図２】同要部の断面の斜視図。
【図３】同要部の断面の斜視図。
【図４】同カバーを閉じた状態の要部の断面図。
【図５】同カバーを開けた状態の要部の断面図。
【符号の説明】
【００１１】
２  前面パネル
４  カバー
１２  回転軸
１４  円柱
１５  凹部
１６  アーム部
１７  穴部
１８  突起
１９  凹凸部
２０  下係止部
【図１】
2009180486.tif 000003
【図２】
2009180486.tif 000004
【図３】
2009180486.tif 000005
【図４】
2009180486.tif 000006
【図５】
2009180486.tif 000007